(57)【特許請求の範囲】
【請求項１】
建築物の構造躯体に固定した金属下地に外壁板を留め付けてなる外壁施工構造において，
上記金属下地は，上記構造躯体に，それぞれ略水平方向に固定された複数の金属ランナーと，該複数の金属ランナーに略鉛直方向に固定された複数の金属胴縁とを有し，
上記外壁板は，上記金属胴縁に配設された留め付け金具又はスタータ金具に，上辺部及び下辺部を係止させることにより，上記金属下地に留め付けられており，
上記金属ランナー及び上記金属胴縁は，平板状の背板と，該背板の幅方向の端部から前方へ立設した一対の立設板と，各立設板の前端から互いに向き合う方向に屈曲された一対の前板とを有し，
上記金属ランナーと上記金属胴縁とは，固定板と係合板と両者の間隔を拡縮することができるよう連結する固定ネジとからなる固定金具によって互いに固定されており，
かつ，該固定金具は，上記固定板を上記金属胴縁の背板の上端部及び下端部に形成された切込み部の前方に配置し，上記係合板を上記金属ランナーにおける一対の前板に係合させていることを特徴とする外壁施工構造。
【請求項２】
請求項１において，上記留め付け金具及びスタータ金具は，その背面に，上記金属胴縁における一対の前板に係合する係合板を有しており，該係合板を上記一対の前板の背面に係合することにより，上記留め付け金具及びスタータ金具を上記金属胴縁に固定してなることを特徴とする外壁施工構造。
【請求項３】
請求項２において，上記留め付け金具は，その背面と上記係合板との間に不陸調整板を有し，該不陸調整板が上記留め付け金具に対して上下にスライドすることにより，上記金属胴縁と上記留め付け金具との互いの位置関係を前後方向に変化させることができるよう構成してあることを特徴とする外壁施工構造。
【請求項４】
請求項１〜３のいずれか一項において，上記金属ランナーと上記金属胴縁とは，長手方向に直交する断面が同形状，同寸法であると共に，同材料からなることを特徴とする外壁施工構造。
【請求項５】
建築物の構造躯体に固定した金属下地に外壁板を留め付けてなる外壁施工構造を構築する外壁施工方法において，
該外壁施工方法は，上記構造躯体に，複数の金属ランナーをそれぞれ略水平方向に固定する第１工程と，
該複数の金属ランナーに，複数の金属胴縁を略鉛直方向に固定することにより，上記構造躯体に固定された上記金属下地を得る第２工程と，
上記金属胴縁にスタータ金具を固定し，該スタータ金具に最下段の外壁板の下辺部を係止し，更に留め付け金具を上記外壁板の上辺部に係止すると共に上記金属胴縁に固定する第３工程と，
上記留め付け金具に，他の外壁板の下辺部を係止し，更に他の留め付け金具を上記外壁板の上辺部に係止すると共に上記金属胴縁に固定する第４工程とを有し，
該第４工程を順次繰り返すことにより複数の外壁板を上記金属下地に固定し，また，上記金属ランナー及び上記金属胴縁は，平板状の背板と，該背板の幅方向の端部から前方へ立設した一対の立設板と，各立設板の前端から互いに向き合う方向に屈曲された一対の前板とを有し，
上記第２工程において上記金属ランナーと上記金属胴縁とを固定するにあたっては，固定板と係合板と両者の間隔を拡縮することができるよう連結する固定ネジとからなる固定金具を用い，上記固定板を上記金属胴縁の背板の上端部及び下端部に形成された切込み部の前方に配置し，上記係合板を上記金属ランナーにおける一対の前板に係合させることを特徴とする外壁施工方法。
【請求項６】
請求項５において，上記留め付け金具及びスタータ金具は，その背面に，上記金属胴縁における一対の前板に係合する係合板を有しており，上記第３工程又は第４工程において上記スタータ金具又は留め付け金具を上記金属胴縁に固定するにあたっては，上記係合板を上記一対の前板の背面に係合させることを特徴とする外壁施工方法。
【請求項７】
請求項６において，上記留め付け金具は，その背面と上記係合板との間に不陸調整板を有し，該不陸調整板を上記留め付け金具に対して上下にスライドさせることにより，上記金属胴縁と上記留め付け金具との互いの位置関係を前後方向に変化させて，上記留め付け金具の不陸調整を行うことを特徴とする外壁施工方法。
【請求項８】
請求項５〜７のいずれか一項において，上記金属ランナーと上記金属胴縁とは，長手方向に直交する断面が同形状，同寸法であると共に，同材料からなることを特徴とする外壁施工方法。
【発明の詳細な説明】
【０００１】
【技術分野】
本発明は，建築物の構造躯体に固定した金属下地に外壁板を留め付けてなる外壁施工構造，及びその施工方法に関する。
【０００２】
【従来技術】
従来より，図２８，図２９に示すごとく，建築物の構造躯体９２に，縦胴縁９３等の下地材を介して，外壁板９４を固定してなる外壁施工構造９がある。即ち，該外壁施工構造９は，上記構造躯体９２に防水紙９８を介して固定した縦胴縁９３に，留め付け金具９５を用いて外壁板９４を固定してある。また，該留め付け金具９５は，ビス９６により上記縦胴縁９３及び構造躯体９２に固定されている（図２９）。
このように，上記外壁施工構造９においては，上記縦胴縁９３を，上記構造躯体９２における管柱９２３，間柱９２４等に，防水紙９８を介して固定する。
【０００３】
【解決しようとする課題】
しかしながら，上記従来の外壁施工構造９においては，図２８に示すごとく，上記縦胴縁９３が，その上下にわたり，上記管柱９２３や間柱９２４に沿うように配置して固定される必要がある。そして，外壁板９４の左右側端部は，縦胴縁９３上に配置する必要がある。それ故，上記外壁板９４を施工するにあたり，該外壁板９４は固定配置とならざるを得ず，施工が困難となる場合がある。
【０００４】
また，リフォームする際には，図３０に示すごとく，縦胴縁９３を，モルタル壁などの既存壁９４０及びその後方の既存胴縁９３０を介して構造躯体９２に，長いビス９６０を用いて固定し，この縦胴縁９３に，新たな外壁板９４を取り付けて外壁施工構造９を得る。
【０００５】
この場合，新たに施工した上記縦胴縁９３は，その固定力を確保するために，上記既存壁９４０の後方にある構造躯体９２，即ち管柱９２３，間柱９２４等の縦柱（図２８）に固定される必要がある。
しかし，上記管柱９２３，間柱９２４は，上記既存壁９４０の後方にあるため，上記縦胴縁９３を施工する際には，その位置を確認することが困難である。それ故，施工が困難となる。
【０００６】
本発明は，かかる従来の問題点に鑑みてなされたもので，施工容易，かつ強度の高い外壁施工構造，及びこれを施工する外壁施工方法を提供しようとするものである。
【０００７】
【課題の解決手段】
第１の発明は，建築物の構造躯体に固定した金属下地に外壁板を留め付けてなる外壁施工構造において，
上記金属下地は，上記構造躯体に，それぞれ略水平方向に固定された複数の金属ランナーと，該複数の金属ランナーに略鉛直方向に固定された複数の金属胴縁とを有し，
上記外壁板は，上記金属胴縁に配設された留め付け金具又はスタータ金具に，上辺部及び下辺部を係止させることにより，上記金属下地に留め付けられており，
上記金属ランナー及び上記金属胴縁は，平板状の背板と，該背板の幅方向の端部から前方へ立設した一対の立設板と，各立設板の前端から互いに向き合う方向に屈曲された一対の前板とを有し，
上記金属ランナーと上記金属胴縁とは，固定板と係合板と両者の間隔を拡縮することができるよう連結する固定ネジとからなる固定金具によって互いに固定されており，
かつ，該固定金具は，上記固定板を上記金属胴縁の背板の上端部及び下端部に形成された切込み部の前方に配置し，上記係合板を上記金属ランナーにおける一対の前板に係合させていることを特徴とする外壁施工構造にある（請求項１）。
【０００８】
次に，本発明の作用効果につき説明する。
上記金属胴縁は，上記構造躯体に略水平方向に固定された金属ランナーに固定する。そのため，上記金属胴縁を上記金属ランナーに配設するにあたり，水平方向の位置が多少ずれても，構造躯体の縦材の位置にかかわらず，確実に固定することができる。そのため，上記外壁施工構造は施工容易である。
【０００９】
また，上記外壁施工構造は，金属下地を用いているため，強度，耐久性に優れている。
また，上記外壁板は，上記金属胴縁に配設された留め付け金具又はスタータ金具に，上辺部及び下辺部を係止させることにより，上記金属下地に留め付けられている。そのため，上記外壁板を，容易かつ確実に上記金属下地に固定することができる。
【００１０】
また，上記外壁施工構造をリフォーム用の外壁施工構造とする場合にも，施工が容易である。即ち，上記金属下地の金属ランナーを，例えば土台柱と胴差し或いは桁のように，既存壁の後方にある構造躯体のうち位置の分かりやすい部分に固定すればよいため，施工が容易である。
【００１１】
また，上記金属ランナーと上記金属胴縁とは，上述のごとく，上記固定金具によって互いに固定されている。これにより，上記固定ネジを締めることにより，該金属ランナーと金属胴縁とを容易かつ確実に固定することができる。それ故，施工が容易であると共に，強度の高い外壁施工構造を得ることができる。
【００１２】
以上のごとく，本発明によれば，施工容易，かつ強度の高い外壁施工構造を提供することができる。
【００１３】
第２の発明は，建築物の構造躯体に固定した金属下地に外壁板を留め付けてなる外壁施工構造を構築する外壁施工方法において，
該外壁施工方法は，上記構造躯体に，複数の金属ランナーをそれぞれ略水平方向に固定する第１工程と，
該複数の金属ランナーに，複数の金属胴縁を略鉛直方向に固定することにより，上記構造躯体に固定された上記金属下地を得る第２工程と，
上記金属胴縁にスタータ金具を固定し，該スタータ金具に最下段の外壁板の下辺部を係止し，更に留め付け金具を上記外壁板の上辺部に係止すると共に上記金属胴縁に固定する第３工程と，
上記留め付け金具に，他の外壁板の下辺部を係止し，更に他の留め付け金具を上記外壁板の上辺部に係止すると共に上記金属胴縁に固定する第４工程とを有し，
該第４工程を順次繰り返すことにより複数の外壁板を上記金属下地に固定し，また，上記金属ランナー及び上記金属胴縁は，平板状の背板と，該背板の幅方向の端部から前方へ立設した一対の立設板と，各立設板の前端から互いに向き合う方向に屈曲された一対の前板とを有し，
上記第２工程において上記金属ランナーと上記金属胴縁とを固定するにあたっては，固定板と係合板と両者の間隔を拡縮することができるよう連結する固定ネジとからなる固定金具を用い，上記固定板を上記金属胴縁の背板の上端部及び下端部に形成された切込み部の前方に配置し，上記係合板を上記金属ランナーにおける一対の前板に係合させることを特徴とする外壁施工方法にある（請求項５）。
【００１４】
上記第２工程においては，上記金属胴縁を，上記構造躯体に水平方向に固定された金属ランナーに固定する。そのため，上記金属胴縁を上記金属ランナーに配設するにあたり，水平方向の位置が多少ずれても，構造躯体の縦材の位置にかかわらず，確実に固定することができる。そのため，上記外壁施工構造は施工容易である。
【００１５】
また，上記第３工程，第４工程においては，上記外壁板を，上記金属胴縁に配設された留め付け金具又はスタータ金具に，上辺部及び下辺部を係止させることにより，上記金属下地に留め付ける。そのため，上記外壁板を，容易かつ確実に上記金属下地に固定することができる。
また，上記外壁施工構造は，金属下地を用いているため，強度，耐久性に優れている。
【００１６】
また，上記外壁施工構造をリフォーム用の外壁施工構造とする場合にも，上記金属下地の金属ランナーを，既存壁の後方にある構造躯体のうち位置の分かりやすい部分に固定すればよいため，施工が容易である。
【００１７】
また，上記第２工程において上記金属ランナーと上記金属胴縁とを固定するにあたっては，上述のごとく上記固定金具を用いる。そのため，上記固定ネジを締めることにより，該金属ランナーと金属胴縁とを容易かつ確実に固定することができる。それ故，強度の高い外壁施工構造を容易に施工することができる。
【００１８】
以上のごとく，本発明によれば，強度の高い外壁施工構造を容易に施工することができる外壁施工方法を提供することができる。
【００１９】
【発明の実施の形態】
上記第１の発明（請求項１）において，上記金属下地の材質としては，例えば，鉄，アルミ，ステンレス鋼等を用いることができる。また，上記金属ランナー及び金属胴縁は，例えば，厚み０．８〜２．３ｍｍの厚みに押出成形することにより形成することができ，また，金属板を折り曲げ加工することにより形成することもできる。
【００２０】
また，上記金属ランナーは，構造躯体における土台柱，胴差し，及び桁のいずれかに直接固定されていることが好ましい。この場合には，上記金属ランナーは，特に高い固定力で構造躯体に固定され，その結果，上記金属下地の強度，ひいては外壁施工構造の強度が向上する。
また，上記金属ランナーと同様の補強用のランナーを，管柱，間柱等の縦材に橋渡しして固定することが好ましい。
【００２１】
また，上記留め付け金具は，例えば，外壁板の裏側面に当接する基板部と，該基板部から前方に立設された支承部と，該支承部から斜め上方へ屈曲した上板係止部と，上記支承部から斜め下方へ屈曲した下板係止部とを有する。また，上記上板係止部及び下板係止部の前方には，前方平板部が形成されていることが好ましい。また，上記基板部は，その上部において後方に後退した上方脚部を有すると共に，下端部において略９０°後方に屈曲した下方脚部を有することが好ましい。
【００２２】
また，上記スタータ金具は，最下段の外壁板の下辺部を係止するための金具であり，例えば，上記土台柱に固定される固定板部と該固定板部から前方へ屈曲形成された支承部と，該支承部の前端から斜め上方へ屈曲形成された係止部とからなる，水平方向に長尺な金具である。
また，上記外壁施工構造は，新築用の外壁施工構造であっても，リフォーム用の外壁施工構造であってもよい。
なお，本明細書においては，建築物の外側方向を「前」，内側方向を「後」として表現する。
【００２３】
また，上記留め付け金具及びスタータ金具は，その背面に，上記金属胴縁における一対の前板に係合する係合板を有しており，該係合板を上記一対の前板の背面に係合することにより，上記留め付け金具及びスタータ金具を上記金属胴縁に固定してなることが好ましい（請求項２）。
この場合には，上記留め付け金具及びスタータ金具を，上記金属胴縁に沿った所望の位置に配置することができる。それ故，上記留め付け金具又はスタータ金具を，容易かつ確実に，上記金属胴縁に固定して，外壁板を金属下地に留め付けることができる。
【００２４】
また，上記留め付け金具は，その背面と上記係合板との間に不陸調整板を有し，該不陸調整板が上記留め付け金具に対して上下にスライドすることにより，上記金属胴縁と上記留め付け金具との互いの位置関係を前後方向に変化させることができるよう構成してあることが好ましい（請求項３）。
この場合には，上記金属下地に固定する外壁板の不陸調整を容易に行うことができる。それ故，一層，施工容易かつ強度の高い外壁施工構造を得ることができる。
【００２５】
また，上記金属ランナーと上記金属胴縁とは，長手方向に直交する断面が同形状，同寸法であると共に，同材料からなることが好ましい（請求項４，請求項８）。
この場合には，同じ金属長尺体をそれぞれ適切な長さに切断することにより，上記金属ランナーとして用いることもでき，上記金属胴縁として用いることもできる。そのため，上記外壁施工構造は，施工が容易であると共に，施工コストを低減させることができる。
【００２６】
次に，上記第２の発明（請求項５）において，上記第４工程は１回のみであってもよい。
また，上記第１工程においては，上記金属ランナーを，構造躯体における土台柱，胴差し，及び桁のいずれかに固定することが好ましい。この場合には，上記金属ランナーは，特に高い固定力で構造躯体に固定され，その結果，上記金属下地の強度，ひいては外壁施工構造の強度が向上する。
【００２７】
また，上記留め付け金具及びスタータ金具は，その背面に，上記金属胴縁における一対の前板に係合する係合板を有しており，上記第３工程又は第４工程において上記スタータ金具又は留め付け金具を上記金属胴縁に固定するにあたっては，上記係合板を上記一対の前板の背面に係合させることが好ましい（請求項６）。
この場合には，上記留め付け金具及びスタータ金具を，上記金属胴縁に沿った所望の位置に配置することができる。それ故，上記留め付け金具又はスタータ金具を，容易かつ確実に，上記金属胴縁に固定することができる。
【００２８】
また，上記留め付け金具は，その背面と上記係合板との間に不陸調整板を有し，該不陸調整板を上記留め付け金具に対して上下にスライドさせることにより，上記金属胴縁と上記留め付け金具との互いの位置関係を前後方向に変化させて，上記留め付け金具の不陸調整を行うことが好ましい（請求項７）。
この場合には，上記金属下地に固定する外壁板の不陸調整を容易に行うことができる。それ故，一層，強度の高い外壁施工構造を容易に施工することができる。
【００２９】
【実施例】
（実施例１）
本発明の実施例にかかる外壁施工構造及びこれを構築する外壁施工方法につき，図１〜図２５を用いて説明する。
上記外壁施工構造１は，図１，図２に示すごとく，建築物の構造躯体２に固定した金属下地３に外壁板４を留め付けてなる。
上記金属下地３は，上記構造躯体２に，それぞれ略水平方向に固定された複数の金属ランナー３１と，該複数の金属ランナー３１に略鉛直方向に固定された複数の金属胴縁３２とを有する。
【００３０】
上記外壁板４は，図２，図８，図１４に示すごとく，上記金属胴縁３２に配設された留め付け金具５又はスタータ金具６に，上辺部４１及び下辺部４２を係止させることにより，上記金属下地３に留め付けられている。
また，図３に示すごとく，上記金属ランナー３１と上記金属胴縁３２とは，長手方向に直交する断面が同形状，同寸法であると共に，同材料からなる。
【００３１】
また，上記金属下地３の材質は，例えば，鉄，アルミ，ステンレス鋼等である。また，上記金属ランナー３１及び金属胴縁３２は，約１．２ｍｍの厚みに押出成形することにより，断面略Ｃ字形状の長尺体として形成されている（図３）。
【００３２】
また，図１に示すごとく，上記構造躯体２における土台柱２１と胴差し２２とにそれぞれ固定された２本の金属ランナー３１の間には，該金属ランナー３１と同形状の補強用ランナー３１０が水平方向に配設されている。該補強用ランナー３１０は，上記土台柱２１と胴差し２２との間における複数の管柱２３及び間柱２４にわたって固定されている。そして，上記補強用ランナー３１０には，上記金属ランナー３１と同様に，上記金属胴縁３２が固定されている。
【００３３】
上記金属ランナー３１及び上記金属胴縁３２は，図３に示すごとく，平板状の背板３１１，３２１と，該背板３１１，３２１の幅方向の端部から前方へ立設した一対の立設板３１２，３２２と，各立設板３１２，３２２の前端から互いに向き合う方向に屈曲された一対の前板３１３，３２３とを有する。
【００３４】
また，図１５〜図２０に示すごとく，上記金属ランナー３１と上記金属胴縁３２とは，固定板７１と係合板７９と両者の間隔を拡縮することができるよう連結する固定ネジ７３とからなる固定金具７によって互いに固定されている。図１６に示すごとく，該固定金具７は，上記固定板７１を上記金属胴縁３２の背板３２１の上端部３２８及び下端部３２９に形成された切込み部３２４の前方に配置し，上記係合板７９を上記金属ランナー３１における一対の前板３１３に係合させている。また，図１５，図１８に示すごとく，上記固定板７１は，略長方形平板状であって，上記背板３２１の幅より若干小さい程度の幅を有する。
【００３５】
また，図５，図７，図８，図１１に示すごとく，上記留め付け金具５は，その背面に，上記金属胴縁３２における一対の前板３２３に係合する係合板５９を有している。該係合板５９は，上記一対の前板３２３の背面に係合することにより，上記留め付け金具５を上記金属胴縁３２に固定している。また，図１４に示すごとく，上記スタータ金具６も同様に，係合板６９を有している。そして，該係合板６９を上記金属胴縁３２の前板３２３に係合することにより，上記スタータ金具６を金属胴縁３２に固定している。
【００３６】
また，図４，図７，図８に示すごとく，上記留め付け金具５は，外壁板４の裏側面４６に当接する基板部５１と，該基板部５１から前方に立設された支承部５２と，該支承部５２から斜め上方へ屈曲した上板係止部５３と，上記支承部５２から斜め下方へ屈曲した下板係止部５４とを有する。また，上記上板係止部５３及び下板係止部５４の前方には，前方平板部５３４が形成されていてる。また，上記基板部５１は，その上部において後方に後退した上方脚部５１１を有すると共に，下端部において略９０°後方に屈曲した下方脚部５１２を有する。また，上記基板部５１は，上記支承部５２の上方において，後方に後退した中央後退部５１３を有し，該中央後退部５１３に，固定ネジ５７を挿通させるための中央穴５１４が形成されている。
【００３７】
また，図７，図８に示すごとく，上記留め付け金具５は，その背面と上記係合板５９との間に固定下板５８を有する。なお，該固定下板５８は後述する長尺固定下板５８０を用いる部分（図２２）との，留め付け金具５の前後位置関係を合わせるために配設する部材である。
また，上記留め付け金具５の背面と固定下板５８との間には，不陸調整板５６が配置している。そして，上記不陸調整板５６が上記留め付け金具５に対して上下にスライドすることにより，上記固定下板５８と上記留め付け金具５との互いの位置関係を前後方向に変化させることができるよう構成されている。
【００３８】
即ち，図６〜図８に示すごとく，上記不陸調整板５６は，上記留め付け金具５における上方脚部５１１，下方脚部５１２，中央後退部５１３をそれぞれ当接させると共に略同程度の角度で前方へ傾斜した，上方傾斜部５６１，下方傾斜部５６２，中央傾斜部５６３を有している。また，該中央傾斜部５６３には，上下方向に長い長穴５６４が形成されており，上記固定ネジ５７を挿通することができる。
また，図４，図７に示すごとく，上記固定下板５８は，平板状の固定板部５８１とその左右端部において前方に屈曲したガイド部５８２を有し，該ガイド部５８２によって上記不陸調整板５６がガイドされて上下動する。また，上記固定板部５８１には，固定ネジ５７を挿通するための挿通穴５８４が形成されている。
【００３９】
上記の構成によって，上記不陸調整板５６が上記留め付け金具５に対して上方へスライドした状態で固定ネジ５７を締めると，上記留め付け金具５と上記固定下板５８との前後方向の距離が小さくなる。また，上記不陸調整板５６が上記留め付け金具５に対して下方へスライドした状態で固定ネジ５７を締めると，上記留め付け金具５と上記固定下板５８との前後方向の距離が大きくなる。
【００４０】
即ち，上記不陸調整板５６を上下にスライドさせることにより，上記留め付け金具５の金属下地３に対する前後方向の位置を変化させることができるので，留め付ける外壁板４の表面位置が一定となるように調整することができる。
また，図５，図７，図８に示すごとく，上記固定下板５８の後方に配置した上記係合板５９は，上記固定ネジ５７のネジ溝５７１に嵌合させるための嵌合爪５９１を設けている。
なお，該嵌合爪５９１と同様の嵌合爪６９１，７９１が，上記スタータ金具６の背面に設けた係合板６９，上記固定金具７における係合板７９にも配設されている（図１４，図１６，図１７）。
【００４１】
また，図１２，図２２に示すごとく，左右の外壁板４が隣り合う部分に配設される上記留め付け金具５は，左右方向に長い長尺固定下板５８０上に，２個左右に並設され，ネジ５７２によって固定されている。
また，図２２に破線で示すごとく，上記外壁施工構造１において，左右の外壁板４の接合部に配設されるハットジョイナー１４は，上記左右の留め付け金具５の間における上記長尺固定下板５８０の前面に配置されている。
【００４２】
また，上記スタータ金具６は，図１４に示すごとく，最下段の外壁板４の下辺部４２を係止するための金具である。そして，図１３，図１４に示すごとく，上記スタータ金具６は，上記土台柱２１に固定される固定板部６１と，該固定板部６１の下端部６１１から前方へ屈曲形成された支承部６２と，該支承部６２の前端から斜め上方へ屈曲形成された係止部６３とからなる，水平方向に長尺な金具である。
また，上記固定板部６１には，強度を確保するために前方へ屈曲形成された上端突出部６１２及び中央突出部６１３が左右方向に設けてある。
【００４３】
次に，上記外壁施工構造１を施工する方法につき説明する。
即ち，本例の外壁施工方法は，下記の第１工程〜第４工程を有する。
第１工程においては，図２３，図１，図２に示すごとく，上記構造躯体２における土台柱２１，胴差し２２等に，複数の金属ランナー３１をそれぞれ略水平方向に固定する。
【００４４】
第２工程においては，図２４，図１，図２に示すごとく，該複数の金属ランナー３１に，複数の金属胴縁３２を略鉛直方向に固定することにより，上記構造躯体２に固定された上記金属下地３を得る。
第３工程においては，図２５，図１，図２，図１４に示すごとく，上記金属胴縁３２にスタータ金具６を固定し，該スタータ金具６に最下段の外壁板４の下辺部４２を係止する。更に，図８，図２１，図２２に示すごとく，留め付け金具５を上記外壁板４の上辺部４１に係止すると共に，固定ネジ５７を用いて上記金属胴縁３２に固定する。
【００４５】
第４工程においては，図８，図２１，図２２に示すごとく，上記留め付け金具５に，他の外壁板４の下辺部４２を係止する。更に他の留め付け金具５を上記外壁板４の上辺部４１に係止すると共に固定ネジ５７を用いて上記金属胴縁３２に固定する。
そして，該第４工程を順次繰り返すことにより複数の外壁板４を上記金属下地３に固定する。
【００４６】
また，上記第１工程においては，上記金属ランナー３１の背板３１１に所定ピッチで形成されたビス穴３１９（図１５，図１８）に，ビス３９を挿通すると共に構造躯体２にねじ込むことにより，金属ランナー３１を構造躯体２に固定する（図１，図２）。なお，上記ビス穴３１９は，上記所定ピッチが構造躯体２の縦材間隔（例えば７５０ｍｍ）の倍数となるよう形成されている。
また，上記第１工程においては，図１，図２に示すごとく，上記土台柱２１と上記胴差し２２との間における複数の縦材，即ち管柱２３及び間柱２４にわたって，水平方向に補強用ランナー３１０を固定する。
【００４７】
また，上記第２工程において上記金属ランナー３１と上記金属胴縁３２とを固定するにあたっては，図１５〜図１９に示すごとく，上記固定金具７を用いる。即ち，該固定金具７の固定板７１を上記金属胴縁３２の背板３２１の上端部３２８及び下端部３２９に形成された切込み部３２４の前方に配置し，上記係合板７９を上記金属ランナー３１における一対の前板３１３に係合させる。
【００４８】
このとき，上記胴差し２２に固定した金属ランナー３１に上記金属胴縁３２の上端部３２８を固定するにあたっては，図１５，図１６に示すごとく，該金属胴縁３２の上方に連続して配設する金属胴縁３２０の下端部３２９をも，上記固定金具７によって一緒に，上記金属ランナー３１に固定する。なお，上記上方に配置する金属胴縁３２０は，その上端部を構造躯体２における他の胴差し或いは桁等に，金属ランナーを介して固定する（図示略）。
【００４９】
また，上記土台柱２１に固定した金属ランナー３１に上記金属胴縁３２の下端部３２９を固定するにあたっては，図１８，図１９に示すごとく，該下端部３２９における切込み部３２４に上記固定金具７の固定ネジ７３を挿入配置した状態で固定する。
【００５０】
また，図２０に示すごとく，上記補強用ランナー３１０と上記金属胴縁３２との固定にも，上記固定金具７と同様の固定金具７０を用いる。該固定金具７０は，固定板７１の幅が小さい。また，上記金属胴縁３２は，その中間部分において上記補強用ランナー３１０に固定するため，背板３２１における上記補強用ランナー３１０に対応する部分に縦長のネジ挿通穴３２７を有している。このネジ挿通穴３２７に固定板７１を介して固定ネジ７３を挿通して，上記補強用ランナー３１０の前板３１３の背面に係合させ，係合板７９と螺合させる。このようにして，上記固定金具７によって，上記補強用ランナー３１０と金属胴縁３２とを固定する。
【００５１】
また，上記第３工程又は第４工程において上記スタータ金具６又は留め付け金具５を上記金属胴縁３２に固定するにあたっては，図８〜図１１，図１４に示すごとく，上記係合板６９，５９を上記一対の前板３２３の背面に係合する。
【００５２】
即ち，図９に示すごとく，上記係合板５９，６９を上記一対の前板３２３の間から挿入する。次いで，図１０，図１１に示すごとく，上記固定ネジ５７，６７を締める方向に回転させることにより上記係合板５９，６９を回動させると共に前進させ，上記前板３２３の背面に係合させる。また，上記第２工程において用いた固定金具７の係合板７９も同様の方法で，上記金属ランナー３１の前板３１３に係合させる。
また，留め付け金具５を金属胴縁３２に固定する際には，上記不陸調整板５６を上記留め付け金具５に対して上下にスライドさせる。これにより，留め付けられるべき外壁板４の位置に応じて，上記固定下板５８と上記留め付け金具５との互いの位置関係を前後方向に変化させて，金属下地３側の不陸調整を行う。
【００５３】
また，図２２に示すごとく，左右の外壁板４が隣り合う部分には，上記長尺固定下板５８０に並設した一対の留め付け金具５を用いる。即ち，これら一対の留め付け金具５のうち，左側の留め付け金具５は左下の外壁板４の上辺部４１を係止すると共に左上の外壁板４の下辺部４２を支承する。一方，右側の留め付け金具５は右下の外壁板４の上辺部４１を係止すると共に右上の外壁板４の下辺部４２を支承する。
また，上記長尺固定下板５８０は，その略中央における背面に係合板５９を有しており，該係合板５９によって上記金属胴縁３２に固定される。
【００５４】
次に，本例の作用効果につき説明する。
上記金属胴縁３２は，上記構造躯体２に略水平方向に固定された金属ランナー３１に固定する。そのため，上記金属胴縁３２を上記金属ランナー３１に配設するにあたり，水平方向の位置が多少ずれても，構造躯体２の縦材の位置にかかわらず，確実に固定することができる。そのため，上記外壁施工構造１は施工容易である。
【００５５】
また，上記外壁施工構造１は，金属下地３を用いているため，強度，耐久性に優れている。
また，図１，図２に示すごとく，上記金属ランナー３１は，土台柱２１，胴差し２２に固定されている。そして，上記土台柱２１，胴差し２２は，構造躯体２の強度確保に特に重要な部分であるため，特に強度の高い部材が通常使用される。それ故，上記金属ランナー３１は，高い固定力で構造躯体２に固定され，その結果，上記金属下地３の強度，ひいては外壁施工構造１の強度が向上する。
【００５６】
また，図８，図１４，図２１，図２２に示すごとく，上記外壁板４は，上記金属胴縁３に配設された留め付け金具５又はスタータ金具６に，上辺部４１及び下辺部４２を係止させることにより，上記金属下地３に留め付けられている。そのため，上記外壁板４を，容易かつ確実に上記金属下地３に固定することができる。
【００５７】
また，上記金属ランナー３１と上記金属胴縁３２とは，長手方向に直交する断面が同形状，同寸法であると共に，同材料からなる（図３）。それ故，同じ金属長尺体をそれぞれ適切な長さに切断することにより，上記金属ランナー３１として用いることもでき，上記金属胴縁３２として用いることもできる。そのため，上記外壁施工構造１は，施工が容易であると共に，施工コストを低減させることができる。
【００５８】
また，図３に示すごとく，上記金属ランナー３１及び上記金属胴縁３２は，上記背板３１１，３２１と，一対の立設板３１２，３２２と，一対の前板３１３，３２３とを有する。そのため，強度に優れた金属ランナー３１及び金属胴縁３２を得ることができ，強度に優れた外壁施工構造１を得ることができる。
【００５９】
また，図１５〜図１９に示すごとく，上記金属ランナー３１と上記金属胴縁３２とは，上記固定金具７によって互いに固定されている。そして，該固定金具７は，その固定板７１を上記金属胴縁３２の切込み部３２４の前方に配置し，上記係合板７９を上記金属ランナー３１における一対の前板３１３に係合させている。そのため，上記固定ネジ７３を締めることにより，該金属ランナー３１と金属胴縁３２とを容易かつ確実に固定することができる。それ故，施工が容易であると共に，強度の高い外壁施工構造１を得ることができる。
【００６０】
また，図８，図１４に示すごとく，上記係合板５９，６９を上記一対の前板３２３の背面に係合することにより，上記金属胴縁３２に固定されている。そのため，上記留め付け金具５及びスタータ金具６を，上記金属胴縁３２に沿った所望の位置に配置することができる。それ故，上記留め付け金具５又はスタータ金具６を，容易かつ確実に，上記金属胴縁３２に固定して，外壁板４を金属下地３に留め付けることができる。
【００６１】
また，図７，図８に示すごとく，上記留め付け金具５は，上記不陸調整板５６を有している。そして，上記不陸調整板５６が上記留め付け金具５に対して上下にスライドすることにより，上記金属胴縁３２と上記留め付け金具５との互いの位置関係を前後方向に変化させることができるよう構成してある。そのため，上記金属下地３に固定する外壁板４の不陸調整を容易に行うことができる。それ故，一層，施工容易かつ強度の高い外壁施工構造１を得ることができる。
【００６２】
以上のごとく，本例によれば，施工容易，かつ強度の高い外壁施工構造及び外壁施工方法を提供することができる。
【００６３】
（実施例２）
本例は，図２６に示すごとく，本発明をリフォーム用の外壁施工構造１０とした例である。
該外壁施工構造１０を施工するにあたっては，金属下地３の金属ランナー３１を，モルタル壁などの既存壁４０及び既存胴縁３０を介して既存の構造躯体２における土台柱２１と胴差し２２とに，長尺ビス３９０を用いてそれぞれ固定する。そして，該金属ランナー３１に固定金具７を用いて金属胴縁３２を固定する。これにより，上記既存壁４０の前面に金属下地３を構築する。
次いで，該金属胴縁３２にスタータ金具６及び留め付け金具５を用いて新たな外壁板４を留め付ける。以上により，上記外壁施工構造１０を得る。
その他は，実施例１と同様である。
【００６４】
この場合には，既存壁４０の後方にある構造躯体２のうち，位置の分かりやすい土台柱２１，胴差し２２に上記金属下地３を固定すればよい。そのため，本発明をリフォーム用の外壁施工構造に適用する場合にも，施工が容易である。
その他，実施例１と同様の作用効果を有する。
【００６５】
（実施例３）
本例は，図２７に示すごとく，金属下地３の金属ランナー３１と金属胴縁３２との接合部分において，上記金属ランナー３１の前板３１３及び立設板３１２に切欠凹部３１５を設けた例である。該切欠凹部３１５に，上記金属胴縁３２を配置し，ビス１３によって，該金属胴縁３２と金属ランナー３１とを構造躯体２に固定する。その他は，実施例１と同様である。
この場合には，金属下地３の総厚を薄くすることができる。また，実施例１で用いた固定金具７（図１５，図１６参照）を使用する必要がなく，施工容易かつ安価な外壁施工構造を得ることができる。その他，実施例１と同様の作用効果を有する。
【００６６】
なお，上記実施例１〜３においては，上記金属ランナーを土台柱と胴差しに固定する例を示したが，上記金属ランナーを土台柱と桁とに固定する，或いは，土台柱と胴差しと桁とに固定することもできる。これらの場合にも，同様の作用効果を得ることができる。
また，上記スタータ金具６の代わりに，上記留め付け金具５をスタータ金具として兼用することもできる。
【図面の簡単な説明】
【図１】実施例１における，外壁施工構造の正面説明図。
【図２】図１のＡ−Ａ線矢視断面図。
【図３】実施例１における，金属ランナー又は金属胴縁の斜視図。
【図４】実施例１における，留め付け金具の正面図。
【図５】実施例１における，留め付け金具の背面図。
【図６】実施例１における，不陸調整板の正面図。
【図７】実施例１における，留め付け金具とその付属品の断面図。
【図８】実施例１における，留め付け金具周辺の外壁施工構造の縦断面図。
【図９】実施例１における，金属胴縁への留め付け金具の固定方法の説明図。
【図１０】図９に続く，留め付け金具の固定方法の説明図。
【図１１】図１０に続く，留め付け金具の固定方法の説明図。
【図１２】実施例１における，長尺固定下板に固定された留め付け金具の正面図。
【図１３】実施例１における，スタータ金具の斜視図。
【図１４】実施例１における，スタータ金具周辺の外壁施工構造の縦断面図。
【図１５】実施例１における，胴差しに固定された金属ランナーと金属胴縁との接合部の正面図。
【図１６】実施例１における，胴差しに固定された金属ランナーと金属胴縁との接合部の縦断面図。
【図１７】実施例１における，胴差しに固定された金属ランナーと金属胴縁との接合部の水平断面図。
【図１８】実施例１における，土台柱に固定された金属ランナーと金属胴縁との接合部の正面図。
【図１９】実施例１における，土台柱に固定された金属ランナーと金属胴縁との接合部の縦断面図。
【図２０】実施例１における，補強用ランナーと金属胴縁との接合部の正面図。
【図２１】実施例１における，留め付け金具により上下の外壁板を留め付けた状態を示す正面説明図。
【図２２】実施例１における，留め付け金具により上下左右の外壁板を留め付けた状態を示す正面説明図。
【図２３】実施例１における，外壁施工方法の説明図。
【図２４】図２３に続く，外壁施工方法の説明図。
【図２５】図２４に続く，外壁施工方法の説明図。
【図２６】実施例２における，外壁施工構造の縦断面説明図。
【図２７】実施例３における，外壁施工構造の水平断面説明図。
【図２８】従来例における，外壁施工構造の正面説明図。
【図２９】図２８のＦ−Ｆ線矢視断面相当の説明図。
【図３０】従来例における，リフォーム用の外壁施工構造の縦断面説明図。
【符号の説明】
１．．．外壁施工構造，
２．．．構造躯体，
２１．．．土台柱，
２２．．．胴差し，
３．．．金属下地，
３１．．．金属ランナー，
３２．．．金属胴縁，
４．．．外壁板，
５．．．留め付け金具，
６．．．スタータ金具，
７．．．固定金具，
【図１】
0003636139.tif 000002
【図２】
0003636139.tif 000003
【図３】
0003636139.tif 000004
【図４】
0003636139.tif 000005
【図５】
0003636139.tif 000006
【図６】
0003636139.tif 000007
【図７】
0003636139.tif 000008
【図８】
0003636139.tif 000009
【図９】
0003636139.tif 000010
【図１０】
0003636139.tif 000011
【図１１】
0003636139.tif 000012
【図１２】
0003636139.tif 000013
【図１３】
0003636139.tif 000014
【図１４】
0003636139.tif 000015
【図１５】
0003636139.tif 000016
【図１６】
0003636139.tif 000017
【図１７】
0003636139.tif 000018
【図１８】
0003636139.tif 000019
【図１９】
0003636139.tif 000020
【図２０】
0003636139.tif 000021
【図２１】
0003636139.tif 000022
【図２２】
0003636139.tif 000023
【図２３】
0003636139.tif 000024
【図２４】
0003636139.tif 000025
【図２５】
0003636139.tif 000026
【図２６】
0003636139.tif 000027
【図２７】
0003636139.tif 000028
【図２８】
0003636139.tif 000029
【図２９】
0003636139.tif 000030
【図３０】
0003636139.tif 000031